(57)【特許請求の範囲】
【請求項１】
中央に回転軸を有し、モータによって回転駆動されるインペラ及びそのケーシングを備えたポンプ部と、上端が前記ケーシングの吸引開口に設けられ、下端には底部吸引口を備え、しかも内側に搬送物の流路を形成する筒状体と、前記回転軸の延長部を前記筒状体を介して回転自由に支持する軸受と、前記回転軸の延長部で、前記筒状体の底部吸引口の下方に取付けられた攪乱手段とを設けた水中ポンプにおいて、
吐出口が前記筒状体の底部吸引口に連通して設けられ、かつ吸引口が前記攪乱手段の上方に形成された補助ケーシングと、該補助ケーシング内に前記回転軸の延長部によって回転駆動され、前記吸引口から前記補助ケーシング内に前記搬送物を吸引し、かつ前記吐出口から排出する補助インペラとを備えた補助ポンプ部を有することを特徴とする水中ポンプ。
【請求項２】
請求項１記載の水中ポンプにおいて、前記筒状体の内側の前記回転軸の延長部には、前記搬送物を下側から上側に搬送する主螺旋羽根を設けたことを特徴とする水中ポンプ。
【請求項３】
請求項１又は２記載の水中ポンプにおいて、前記攪乱手段は前記回転軸の延長部に取付けられた複数の破砕刃を備えた土塊破砕部を有していることを特徴とする水中ポンプ。
【請求項４】
請求項１又は２記載の水中ポンプにおいて、前記攪乱手段は前記回転軸の延長部に取付けられた円錐台状又は円筒状のボスの周囲に複数の羽根片を備えた攪乱羽根部を有していることを特徴とする水中ポンプ。
【請求項５】
請求項１又は２記載の水中ポンプにおいて、前記攪乱手段は前記回転軸の延長部に、前記搬送物を下側から上側に搬送する補助螺旋羽根を備えたことを特徴とする水中ポンプ。
【請求項６】
請求項５記載の水中ポンプにおいて、前記補助螺旋羽根の外周囲に取付けられた複数の破砕刃を備えた螺旋羽根付土塊破砕部を有していることを特徴とする水中ポンプ。
【発明の詳細な説明】
【０００１】
【発明の属する技術分野】
本発明は、水底の土砂又はヘドロ等（単に搬送物と呼ぶ）を効率的に攪乱、吸引し、かつ吐出できる構造を備えた水中ポンプに関する。
【０００２】
【従来の技術】
従来、水底の土砂又はヘドロ等を除去するために使用する水中ポンプの一例として、実公昭５３−４４７２５号公報に記載されたものが知られている。実公昭５３−４４７２５号公報に記載された水中ポンプにおいては、インペラケーシングの土砂等が通過する吸引開口には、インペラ駆動用回転軸の延長部にスクリュー本体が連結されたスクリューコンベアが設けられ、さらに、スクリューコンベアの軸封された前記回転軸の先端部には、円錐状のボスの周囲に多条羽根を備えた攪乱用のカッターファンが設けられている。スクリューコンベアの筒状のコンベアケーシングの下部の一側部には、土砂等の吸入口が形成されると共に、コンベアケーシング内には吸引された搬送物をインペラケーシング側に搬送する螺旋羽根を備えたスクリュー本体が設けられており、カッターファンによって攪乱された土砂等がコンベアケーシングの側面に形成された吸入口を介してコンベアケーシング内に吸引されるようになっている。従って、この水中ポンプにおいては、吸入口から吸引された土砂等は、スクリュー本体及びコンベアケーシングによって確実にインペラ室内に搬送される。
【０００３】
【発明が解決しようとする課題】
しかしながら、前記従来の水中ポンプにおいては、未だ解決すべき以下のような問題があった。
水底の土砂等の層が厚い（例えば、１〜２ｍ）場合や、層が固い場合には、傘状遮蔽体を備えていないポンプではインペラケーシングの底部が、土砂等の上面に接地した時点で土砂等に遮られて、それ以上土砂等の中に入って行き難いため、土砂等の吸い上げ作業が効率的にできないという問題があった。
また、カッターファンによって攪乱された土砂等は、コンベアケーシングの吸入口を介してのみスクリューコンベア内に吸引されるので、吸入口近傍の濃度の濃い土砂等を吸引することになり、場合によっては吸引できなくなる恐れもあった。
【０００４】
本発明はこのような事情に鑑みてなされたもので、吸い込み性がよく、土砂等の層が厚く、固い場合でも、効率よく攪乱、吸引し、吐出できる水中ポンプを提供することを目的とする。
【０００５】
【課題を解決するための手段】
前記目的に沿う本発明に係る水中ポンプは、中央に回転軸を有し、モータによって回転駆動されるインペラ及びそのケーシングを備えたポンプ部と、上端が前記ケーシングの吸引開口に設けられ、下端には底部吸引口を備え、しかも内側に搬送物の流路を形成する筒状体と、前記回転軸の延長部を前記筒状体を介して回転自由に支持する軸受と、前記回転軸の延長部で、前記筒状体の底部吸引口の下方に取付けられた攪乱手段とを設けた水中ポンプにおいて、
吐出口が前記筒状体の底部吸引口に連通して設けられ、かつ吸引口が前記攪乱手段の上方に形成された補助ケーシングと、該補助ケーシング内に前記回転軸の延長部によって回転駆動され、前記吸引口から前記補助ケーシング内に前記搬送物を吸引し、かつ前記吐出口から排出する補助インペラとを備えた補助ポンプ部を有する。これによって、攪乱手段により攪乱された搬送物は筒状体の底部吸引口から吸引され、筒状体の内側に形成された搬送物の流路を経由してポンプ部に吸込まれるので、ポンプケーシングの底面が土砂に接触するまで、即ち、筒状体の長さと同じ深さまで、土砂等を吸引することができる。
【０００６】
【０００７】
本発明に係る水中ポンプにおいて、吐出口が筒状体の底部吸引口に連通して設けられ、かつ吸引口が攪乱手段の上方に形成された補助ケーシングと、補助ケーシング内に回転軸の延長部によって回転駆動され、吸引口から補助ケーシング内に搬送物を吸引し、かつ吐出口から排出する補助インペラとを備えた補助ポンプ部を有しているので、補助ポンプ部により搬送物をより強力に吸引、吐出し、筒状体の内側に形成された搬送物の流路を経由してポンプ部に供給して、ポンプ部の吸込みを補助することができる。
本発明に係る水中ポンプにおいて、筒状体の内側の回転軸の延長部には、搬送物を下側から上側に搬送する主螺旋羽根を設けることもできる。これによって、主螺旋羽根により搬送を補強し、特に、土砂等の固形分の多い搬送物の搬送効率が向上する。
【０００８】
本発明に係る水中ポンプにおいて、攪乱手段は回転軸の延長部に取付けられた複数の破砕刃を備えた土塊破砕部を有して構成することもできる。これによって、複数の破砕刃を備えた土塊破砕部が水底の土砂又はヘドロを掻きほぐして水と混ぜ合わせることにより流動性を向上させることができ、強固に固まっている土塊をも効率的に吸引することができる。
本発明に係る水中ポンプにおいて、攪乱手段は回転軸の延長部に取付けられた円錐台状又は円筒状のボスの周囲に複数の羽根片を備えた攪乱羽根部を有して構成することもできる。これによって、土砂等の結合が強固でない場合には、より少ない動力で、攪乱によって土砂等を水とより速やかに混合させ流動性を向上させることができるので、円滑な吸引がなされる。
【０００９】
本発明に係る水中ポンプにおいて、攪乱手段は回転軸の延長部に、搬送物を下側から上側に搬送する補助螺旋羽根を備えた構成にすることもできる。これによって、土砂等の結合が強固でない場合には、補助螺旋羽根に接触した土砂等は巻き上げられて、筒状体内に強力に誘導される。
さらに、補助螺旋羽根の外周囲に取付けられた複数の破砕刃を備えた螺旋羽根付土塊破砕部を有した構成にすることもできる。これによって、複数の破砕刃により土砂等をほぐし、水を含ませて流動性を向上させつつ、補助螺旋羽根により土砂等が吸引口に誘導されるので、吸引がより効率的になされる。
【００１０】
【発明の実施の形態】
続いて、添付した図面を参照しつつ、本発明を具体化した実施の形態につき説明し、本発明の理解に供する。
ここに、図１は本発明の第１の実施の形態に係る水中ポンプの正断面図、図２は図１の矢視Ａ−Ａ断面図、図３は図１の矢視Ｂ−Ｂ断面図、図４は本発明の第２の実施の形態に係る水中ポンプの正断面図、図５は図４の矢視Ｃ−Ｃ断面図、図６は本発明の第２の実施の形態に係る水中ポンプの部分側面図、図７は本発明の第１の実施の形態に係る水中ポンプの変形例の正断面図、図８（Ａ）、（Ｂ）はそれぞれ、同水中ポンプの攪乱手段の第１変形例の正面図、背面図、図９は同水中ポンプの攪乱手段の第２変形例の正面図である。
【００１１】
図１に示すように、本発明の第１の実施の形態に係る水中ポンプ１０は、モータ（図示せず）を密封した水密モータ部１１と、水密モータ部１１の下端に連結され、しかも中央に回転軸１２を有し、前記モータによって回転駆動されるインペラ１３及びそのケーシング１４を備えたポンプ部１５と、上端がケーシング１４の底部に形成された吸引開口１６に設けられ、下端には底部吸引口１７を備え、しかも内側に搬送物の流路１８を形成する筒状体１９とを備えている。水中ポンプ１０は、さらに、回転軸１２の延長部の一例である延長軸２０の中間位置を筒状体１９を介して回転自由に支持する軸受２１と、筒状体１９の底部吸引口１７の下方で延長軸２０の先端部に設けられた攪乱手段の一例である土塊破砕部２２を備えている。以下、これらについて詳しく説明する。
【００１２】
図１に示すように、ポンプ部１５のインペラ室２３内には、インペラ１３が取付けられた回転軸１２が設けられており、回転軸１２の上端はモータの出力軸に連結されている。回転軸１２の下端には延長軸２０が一体的に延長して設けられている。
図１及び図２に示すように、筒状体１９の下端部の内周面２４には４枚の矩形板状の軸受支持部材２５の外側が放射状に９０°ピッチで設けられており、軸受支持部材２５の内側は軸受２１を保持するリング状の軸受保持部２６の外周面２７に取付けられている。従って、隣合う軸受支持部材２５、筒状体１９の内周面２４及び軸受保持部２６の外周面２７により囲まれた単位吸引口１７ｃが４箇所形成され、４箇所の単位吸引口１７ｃからなる底部吸引口１７が構成されて、底部吸引口１７から搬送物が吸引される。
【００１３】
図１及び図３に示すように、土塊破砕部２２は延長軸２０の先端部に取付けられており、延長軸２０の外周には、延長軸２０の軸方向に沿って所定の間隔Ｇを開けて、しかも平面視して周方向に１２０°の等ピッチで、かつ実質的に放射状に、合計６枚（３枚／段×２段）のなた状の破砕刃２８が取付けられている。
図３に示すように、破砕刃２８が取付けられた延長軸２０は矢印で示す時計方向に回転し、各破砕刃２８は平面視して弓状に形成され、かつ軸方向へもポンプ部１５側へ曲げて形成されている。破砕刃２８の回転方向側の凹部分には刃部（エッジ部）２９が形成されている。また、土塊破砕部２２の平面視した外径寸法は、土塊破砕部２２の及ぼす影響が少なくとも筒状体１９の外径寸法より大きくなる寸法としている。
【００１４】
従って、水中ポンプ１０においては、筒状体１９の外径寸法よりも大きな影響領域を持つ土塊破砕部２２が備えてあり、かつ筒状体１９の下端部には底部吸引口１７が形成されているので、従来例の傘状遮蔽体やインペラケーシングの底部が邪魔して土砂等の中に入って行き難いことが解消され、筒状体１９は吸引、除去された土砂等分下降するので、土砂等の層が厚くて固い場合でも、効率よく搬送物を吸引し、吐出できる。また、土塊破砕部２２を構成する６枚の破砕刃２８が直接土砂やヘドロに接触して、固い土砂やヘドロを掻き砕くことによって均一に流動化できるので、さらに効率よく搬送物を吸引し、吐出できる。
【００１５】
図４〜図６に示す本発明の第２の実施の形態に係る水中ポンプ３０について説明する。なお、水中ポンプ１０と同一の構成要素については、同一の符号を付して詳しい説明を省略する。なお、図４における底部吸引口あたりは、図５における矢視Ｄ−Ｅで示す切断端面を記載している。
図４〜図６に示すように、水中ポンプ３０は、モータ（図示せず）を密封した水密モータ部１１と、水密モータ部１１の下端に連結され、しかも中央に回転軸１２を有し、前記モータによって回転駆動されるインペラ１３及びそのケーシング１４を備えたポンプ部１５と、上端がケーシング１４の底面に形成された吸引開口１６を覆って、しかもフランジ接続して設けられ、下端には底部吸引口１７ｄを、かつ下側部には側部吸引口３１を備え、しかも内側に搬送物の流路１８ａを形成する筒状体１９ａとを備えている。水中ポンプ３０は、さらに、回転軸１２の延長部の一例である延長軸２０ａの中間位置を、筒状体１９ａの下端部に設けられて回転自由に支持する軸受２１ａと、筒状体１９ａの底部吸引口１７ｄ（図５参照）の下方で延長軸２０ａの先端部に設けられた攪乱手段の一例である土塊破砕部２２を備えている。以下、これらについて詳しく説明する。
【００１６】
図４に示すように、ポンプ部１５のインペラ室２３内には、インペラ１３が取付けられた回転軸１２が設けられており、回転軸１２の上端はモータの出力軸に連結されている。回転軸１２の下端には延長軸２０ａが一体的に延長して設けられている。
図４〜図６に示すように、筒状体１９ａの下端部には９０°ピッチで４箇所に切り欠き３１ａが形成されており、隣合う切り欠き３１ａ間には側面視して矩形状の突出部４４が９０°ピッチで４箇所形成されることになる。突出部４４の内周面２４ａには４枚の矩形板状の軸受支持部材２５ａが放射状に９０°ピッチで設けられ、軸受支持部材２５ａの内側は軸受２１ａを保持するリング状の軸受保持部２６ａの外周面２７ａに取付けられている。
【００１７】
従って、水中ポンプ３０においては、隣合う軸受支持部材２５ａにより区画された単位吸引口が筒状体１９ａの底部に４箇所形成され、かつ、筒状体１９ａの下端部の側面に形成された切り欠き３１ａからなる４つの単位吸引口が形成される。底部の４箇所の単位吸引口からなる底部吸引口１７ｄ及び下側部の４箇所の単位吸引口からなる側部吸引口３１から搬送物が吸引される。
図４及び図６に示すように、土塊破砕部２２は水中ポンプ１０同様に、延長軸２０ａの先端部に取付けられている。
【００１８】
また、水中ポンプ３０においては、筒状体１９ａの外径寸法よりも大きな影響領域を持つ土塊破砕部２２が備えてあり、かつ筒状体１９ａの下端部には底部吸引口１７ｄ、また筒状体１９ａの下側部には側部吸引口３１が形成されているので、水中ポンプ１０と同様、従来例の傘状遮蔽体やインペラケーシングの底部が邪魔して土砂等の中に入って行き難いことが解消され、しかも側部吸引口３１からは水分が吸引補給されるため、土塊破砕部２２により掻きほぐされた土砂等をより希釈しながら吸引することができる。従って、ポンプ部１５を詰まらせることなく、土砂等の層が厚くて固い場合でも効率よく連続的に搬送することができる。
【００１９】
なお、図４において、延長軸２０ａの上部、即ち、ポンプ部１５の直下から側部吸引口３１付近まで２点鎖線で示す主螺旋羽根３２を設けることもでき、主螺旋羽根３２によって搬送物を下側から上側に搬送するのを支援することができるので、搬送効率が向上する。
【００２０】
図７には、本発明の第１の実施の形態に係る水中ポンプ１０の変形例である水中ポンプ１０ａを示す。なお、水中ポンプ１０と同一の構成要素については、同一の符号を付して詳しい説明を省略する。
水中ポンプ１０ａは、水中ポンプ１０と比較して、筒状体１９ｂと土塊破砕部２２ａとの間に補助ポンプ部３３を設けたことを特徴としている。
【００２１】
補助ポンプ部３３は、補助ケーシング３６と補助インペラ３７とを備えている。補助ケーシング３６の吐出口３４が筒状体１９ｂの下端部の底部吸引口１７ｂに連通して設けられており、しかも、補助ケーシング３６の吸引口３５が土塊破砕部２２ａの上方に形成されている。補助ケーシング３６内には延長軸２０ｂによって回転駆動され、吸引口３５から補助ケーシング３６内に搬送物を吸引し、かつ吐出口３４から排出する補助インペラ３７を有している。
従って、水中ポンプ１０ａは、水中ポンプ１０に比較して、補助ポンプ部３３により、より強力に土砂等を吸込み、ポンプ部１５へ向けて吐出し、ポンプ部１５の吸込みを補助するので、濃度が濃くなっても、また筒状体１９ｂの長さが長い場合でも、確実に土砂等を搬送することができる。なお、図７中の符号１８ｂは搬送物の流路を、符号２１ｂは軸受を、符号２４ｂは筒状体１９ｂの内周面を、符号２５ｂは軸受支持部材を、符号２６ｂは軸受保持部を、符号２７ｂは軸受保持部２６ｂの外周面を、符号２８ａは破砕刃を表している。
【００２２】
図８（Ａ）、（Ｂ）及び図９にはそれぞれ、本発明の第１の実施の形態に係る水中ポンプ１０の攪乱手段の第１変形例、第２変形例を示す。
図８（Ａ）、（Ｂ）に示す攪乱手段の第１変形例である螺旋羽根付土塊破砕部３８においては、延長軸２０の先端部には、搬送物を下側から上側に搬送する補助螺旋羽根３９と、補助螺旋羽根３９の外周囲に実質的に放射状に配置された複数の破砕刃２８ｂを備えた補助土塊破砕部４０とを有している。
【００２３】
螺旋羽根付土塊破砕部３８には、延長軸２０の外周に、延長軸２０の軸方向に沿って、約１．５周（ピッチ）程の補助螺旋羽根３９が、所定の捩じり角度で取付けられており、補助螺旋羽根３９の外側部には、実質的に放射状になた状の破砕刃２８ｂが、平面視して周方向に１２０°のピッチで合計５枚取付けられている。破砕刃２８ｂも破砕刃２８と同様、平面視して弓状に形成され、かつ軸方向へもポンプ部１５側に曲げて形成されている。また、破砕刃２８ｂの回転方向側の凹部分には、刃部（エッジ部）が形成されている。
従って、螺旋羽根付土塊破砕部３８の複数の破砕刃２８ｂが土砂やヘドロに直接接触して、例え、土砂やヘドロが固い場合であってもそれらを掻き砕くことができ、これによって流動性を保持できるようになるので、搬送能力が増大する。
【００２４】
図９に示す攪乱手段の第２変形例である攪乱羽根部４１においては、延長軸２０の先端部には、円錐台状のボス４２（又は円筒状のボス）の周囲に複数（本実施の形態においては、３枚）の羽根片４３を備えている。
従って、土砂等の結合が強固でない場合には、より少ない動力で、攪乱によって土砂等を水と、より速やかに混合させ流動性を向上させることができるので、円滑な吸引がなされる。
【００２５】
前記実施の形態においては、水中ポンプ１０では、延長軸２０の上部の筒状体１９内に主螺旋羽根を設けていないが、これに限定されず、必要に応じて、水中ポンプ３０において２点鎖線で示す主螺旋羽根３２を設けることもできる。
水中ポンプ３０においては、筒状体１９ａ（又は軸受２１ａ）と土塊破砕部２２との間に、補助ポンプ部を設けていないが、これに限定されず、状況に応じて、水中ポンプ１０ａにおいて設けたような補助ポンプ部３３を、筒状体１９ａの下端部に形成された側部吸引口３１の上方に設けることもできる。さらに、水中ポンプ３０においては、攪乱手段として土塊破砕部２２を設けたが、これに限定されず、土塊破砕部２２の代わりに、螺旋羽根付土塊破砕部３８や攪乱羽根部４１を設けることもできる。
【００２６】
土塊破砕部２２、２２ａには、平面視して等ピッチで３枚の破砕刃２８、２８ａを放射状に、しかも軸方向に沿って２段設けたが、これに限定されず、２枚又は４枚以上の破砕刃２８、２８ａを等ピッチでなく、しかも放射状にではなく設けることもでき、さらに、軸方向に沿って１段又は３段以上設けることもできる。さらに、側面視して複数枚の破砕刃２８、２８ａを軸方向に螺旋状に設けることもできる。
螺旋羽根付土塊破砕部３８には、破砕刃２８ｂを設けたが、これに限定されず、破砕刃２８ｂを設けず、補助螺旋羽根３９のみを設けることもできる。破砕刃２８ｂは平面視して１２０°の等ピッチで、しかも放射状に設けたが、これに限定されず、ランダムな位置に設けることもできる。
水中ポンプ３０には、切り欠き３１ａを４箇所設けたが、これに限定されず、１〜３箇所又は５箇所以上設けても構わない。
【００２７】
【発明の効果】
請求項１〜６記載の水中ポンプにおいては、攪乱手段により攪乱された搬送物は筒状体の底部吸引口から吸引され、筒状体の内側に形成された搬送物の流路を経由してポンプ部に吸込まれるので、ポンプケーシングの底面が土砂に接触するまで、即ち、筒状体の長さと同じ深さまで、土砂等を吸引することができる。しかも、インペラのケーシングの吸引開口に、その外径がケーシングの外径よりも小さく、かつ内側に搬送物の流路を形成している筒状体を備え、筒状体の底部吸込口の下方には、その作用範囲が少なくとも筒状体の外径より大きな攪乱手段を備えている。従って、土砂等の層が固くて厚い場合でも、攪乱手段によって攪乱された搬送物が上から順々に除去されて筒状体が徐々に土砂等の中に降下して行くので、従来のように土砂等によって降下が妨げられることがなく、しかも搬送物を効率よく吸引し、吐出することができる。
【００２８】
【００２９】
この水中ポンプにおいては、補助ポンプ部により搬送物をより強力に吸引し、筒状体の内側に形成された搬送物の流路を経由してポンプ部に吐出することができるので、搬送効率が向上し、搬送作業が容易となる。
請求項２記載の水中ポンプにおいては、主螺旋羽根により、吸引を補強し、特に、土砂等の固形分の多い（濃度の高い）搬送物の搬送効率が向上するので、搬送作業が極めて容易となる。
請求項３記載の水中ポンプにおいては、複数の破砕刃を備えた土塊破砕部が水底の土砂又はヘドロを掻きほぐして水と混ぜ合わせることにより流動性を向上させることができ、強固に固まっている土塊をも効率的に吸引することができるので、搬送効率が向上する。
【００３０】
請求項４記載の水中ポンプにおいては、土砂等の結合が強固でない場合には、複数の羽根片の構成により、より少ない動力で、土砂等の搬送物を効果的に攪乱し、水とより速やかに混合させ流動性を向上させることができるので、円滑な搬送を行うことができる。
請求項５記載の水中ポンプにおいては、補助螺旋羽根により、搬送を補助し、特に、土砂等の固形分の多い搬送物を筒状体内により強力に誘導することができるので、搬送作業がより容易となる。
請求項６記載の水中ポンプにおいては、複数の破砕刃により強固に固まった土砂等をほぐし、水に含ませて流動性を向上させつつ、補助螺旋羽根により土砂等が吸引口に誘導されるので、搬送がより効率的になされる。
【図面の簡単な説明】
【図１】本発明の第１の実施の形態に係る水中ポンプの正断面図である。
【図２】図１の矢視Ａ−Ａ断面図である。
【図３】図１の矢視Ｂ−Ｂ断面図である。
【図４】本発明の第２の実施の形態に係る水中ポンプの正断面図である。
【図５】図４の矢視Ｃ−Ｃ断面図である。
【図６】本発明の第２の実施の形態に係る水中ポンプの部分側面図である。
【図７】本発明の第１の実施の形態に係る水中ポンプの変形例の正断面図である。
【図８】（Ａ）、（Ｂ）はそれぞれ、同水中ポンプの攪乱手段の第１変形例の正面図、背面図である。
【図９】同水中ポンプの攪乱手段の第２変形例の正面図である。
【符号の説明】
１０、１０ａ：水中ポンプ、１１：水密モータ部、１２：回転軸、１３：インペラ、１４：ケーシング、１５：ポンプ部、１６：吸引開口、１７、１７ｂ：底部吸引口、１７ｃ：単位吸引口、１７ｄ：底部吸引口、１８、１８ａ、１８ｂ：流路、１９、１９ａ、１９ｂ：筒状体、２０、２０ａ、２０ｂ：延長軸（延長部）、２１、２１ａ、２１ｂ：軸受、２２、２２ａ：土塊破砕部（攪乱手段）、２３：インペラ室、２４、２４ａ、２４ｂ：内周面、２５、２５ａ、２５ｂ：軸受支持部材、２６、２６ａ、２６ｂ：軸受保持部、２７、２７ａ、２７ｂ：外周面、２８、２８ａ、２８ｂ：破砕刃、２９：刃部、３０：水中ポンプ、３１：側部吸引口、３１ａ：切り欠き、３２：主螺旋羽根、３３：補助ポンプ部、３４：吐出口、３５：吸引口、３６：補助ケーシング、３７：補助インペラ、３８：螺旋羽根付土塊破砕部（攪乱手段）、３９：補助螺旋羽根、４０：補助土塊破砕部（攪乱手段）、４１：攪乱羽根部（攪乱手段）、４２：ボス、４３：羽根片、４４：突出部
【図１】
0004869521.tif 000002
【図２】
0004869521.tif 000003
【図３】
0004869521.tif 000004
【図４】
0004869521.tif 000005
【図５】
0004869521.tif 000006
【図６】
0004869521.tif 000007
【図７】
0004869521.tif 000008
【図８】
0004869521.tif 000009
【図９】
0004869521.tif 000010